(57)【要約】【課題】高い防塵防水性を有しながら、防露も可能な液晶表示装置を提供することを目的とする。【解決手段】液晶ユニット１を保持、保護する為の後部筐体２、前部筐体３、および所定の間隔を空けて液晶ユニット１の前方に設けられた透明の保護パネル４によって構成し、多孔質の防塵シート５を、前部筐体３と液晶ユニット１の周囲の間に配置させる。  外気に温度変化があっても、防塵シート５の孔５ａを通して空気が換気するので、空気が飽和して水蒸気が発生することはなく、したがって、保護パネル４の内面上に水滴が残るという結露現象は生じない。【選択図】図４
2005309268.tif 000002
【特許請求の範囲】
【請求項１】
液晶ユニットと、前記液晶ユニットを内蔵し保持および保護する筐体と、前記液晶ユニットの前方に所定の間隔を空けて配置される透明の保護パネルとを備えるとともに、前記液晶ユニットと前記筐体または前記保護パネル間に多孔質シール材を設けたことを特徴とする液晶表示装置。
【請求項２】
多孔質シール材は、通気を可能とし、所定の大きさ以上の塵埃を通さないことを特徴とする請求項１記載の液晶表示装置。
【請求項３】
多孔質シール材は、１００ミクロン以上の塵埃を通さないことを特徴とする請求項２記載の液晶表示装置。
【請求項４】
筐体は、保護パネルが配置される前部筐体と液晶ユニットの背面に配置される後部筐体とからなり、前記前部筐体と液晶ユニットとの間に多孔質シール材を設けたことを特徴とする請求項１記載の液晶表示装置。
【請求項５】
多孔質シール材は、ＥＰＤＭ、ウレタン、ポリエチレン等のベース材料に、発泡剤を混合して、シート状に押し出し、架橋後、発泡剤の分解温度以上に加熱し、発泡させた発泡体であることを特徴とする請求項１乃至請求項４記載の液晶表示装置。
【請求項６】
保護パネルと筐体は密着されていることを特徴とする請求項１乃至請求項５記載の液晶表示装置。
【発明の詳細な説明】
【技術分野】
【０００１】
本発明はノート型パソコンなどの携帯型情報処理装置や、パチンコ、アーケードゲーム等のアミューズメント機器等、特に屋外で使用される機器に用いられる液晶表示装置に関するものである。
【背景技術】
【０００２】
従来、ノート型パソコンなどの携帯型情報処理装置や、パチンコ、アーケードゲーム等のアミューズメント機器等、屋外で使用される機器に用いられる液晶表示装置としては、屋内で使用する機器にはあまり必要のない対策、つまり、屋外では塵埃などが多く、また、雨水に濡れたりする機会も多いため、防塵や防水対策が要求されていた。もし、液晶表示装置の内部に塵埃が侵入した場合、品位上、および視認性に問題となる。また、雨水などが侵入した場合、装置の故障の原因になるためである。そのような防塵や防水対策を施した液晶表示装置には、例えば、特許文献１に記載されているようなものがあった。
【０００３】
図５は防塵や防水対策を施した従来の液晶表示装置を示す断面図である。
【０００４】
図５において、液晶表示装置は、主に液晶ユニット１０１と、液晶ユニット１０１を保持、保護する為の後部筐体１０２、前部筐体１０３によって構成される。
【０００５】
また、防塵防水対策用のため、ポリカーボネート（以下ポリカと称する）シート等の透明保護パネル１０４が所定の間隔を空けて液晶ユニット１０１の前方に設けられており、後部筐体１０２と前部筐体１０３により、液晶ユニット１０１を密閉する構造としている。
【０００６】
また、図示しないが、後部筐体１０２と前部筐体１０３とはゴムパッキン等のシール材を介して組み立て、保護パネル１０４を前部筐体１０３に両面テープや接着剤で全面貼り付けすることで、密閉性を増し、防塵防水性を高めている。
【０００７】
ところが、上記構成のみでは、液晶表示装置外部からの塵埃や水の侵入は防げても、液晶表示装置内部に存在している塵埃が、液晶ユニット１０１と保護パネル１０４との間に侵入することは防ぐことができない。この塵埃は、液晶表示装置の組立て時から存在するものの他、放熱などのため筐体に設けられる開口部を一時的に開いたときにも侵入する。
【０００８】
このため、液晶ユニット１０１と保護パネル１０４または前部筐体１０３の間にシール材としてゴムパッキン１０５を配置し密閉している。
【０００９】
これにより、液晶表示装置内部から液晶ユニット１０１と保護パネル１０４との間への塵埃の侵入も防ぐことができる。
【特許文献１】特開平１１−１２６０２６号公報
【発明の開示】
【発明が解決しようとする課題】
【００１０】
しかしながら、上記従来の構成では、密閉しているため、液晶ユニット１０１と保護パネル１０４とゴムパッキン１０５により形成された空間の空気が換気されず、外気に温度変化がある場合に、密閉空間内の空気が飽和して水蒸気が発生し、ポリカシート等の熱伝導の大きい材料で構成される保護パネル１０４の内面上に水滴が残るという結露現象が生じることがあった。
【００１１】
液晶表示ユニットの表示面に水滴が目視できることは、品位上、また視認性においても、問題とされるものである。
【００１２】
特に、密閉性の向上のためには、ゴム等のパッキン部品やシール材で、気密度を高めて実現するのが一般であるので、空気の換気が損なわれ易く、結露防止（防露）対策は課題となっている。
【００１３】
本発明は、高い防塵防水性を有しながら、防露も可能な液晶表示装置を提供することを目的とする。
【課題を解決するための手段】
【００１４】
上記課題を解決するために、本発明の液晶表示装置は、液晶ユニットと、前記液晶ユニットを内蔵し保持および保護する筐体と、前記液晶ユニットの前方に所定の間隔を空けて配置される透明の保護パネルとを備えるとともに、前記液晶ユニットと前記筐体または前記保護パネル間に多孔質シール材を設けたものである。
【発明の効果】
【００１５】
本発明の液晶表示装置は、上記構成を有し、防塵防水性を実現しつつ、結露の発生を防止することができる。
【発明を実施するための最良の形態】
【００１６】
以下、本発明の実施の形態を、図面を参照しながら説明する。
【００１７】
（実施の形態１）
図１は、本発明の一実施の形態の液晶表示装置を示す斜視図、図２は分解図、図３は断面図、図４は拡大部分断面図である。
【００１８】
図１から図４において、１は液晶ユニットであり、液晶ユニット１を保持、保護する為の後部筐体２、前部筐体３、および所定の間隔を空けて液晶ユニット１の前方に設けられた透明の保護パネル４によって構成される。
【００１９】
後部筐体２、前部筐体３の材質については、通常、ＡＢＳ、ポリカ等の汎用の樹脂材料、あるいはアルミ、マグネシウム等の軽量金属材料を用いることが多い。
【００２０】
透明の保護パネル４は周囲の片面糊付きであり、前部筐体３に貼り付けられる。保護パネル４の材質については、通常、透明のポリカシート、アクリル板等の材料を用いる。
【００２１】
また、防塵シート５を、前部筐体３と液晶ユニット１の周囲の間に配置させる。防塵シート５は片面糊付きのシートとして、液晶ユニットに貼り付ける例が多く、防塵シート５の材質は、多孔質の発泡体を用いる。
【００２２】
発泡体とは、ベース材料として、ＥＰＤＭ（エチレンプロピレンゴム）、ウレタン、ポリエチレン等を用いて、発泡剤を混合して、シート状に押し出し、架橋する。架橋後、発泡剤の分解温度以上に加熱し、発泡させた材料である。
【００２３】
ベース材料の選択は、発泡体の仕上がりの硬度により選択するのが一般であり、ＥＰＤＭをベース材料とすると、比較的硬度の高い発泡体、ウレタン、ポリエチレンをベース材料とすると、比較的柔らかい発泡体となる。
【００２４】
また、多孔質の発泡体において、孔の大きさは、発泡剤により選択可能である。高い防塵レベルを必要とするなら、防塵シートは、ゴム等のパッキン部品を用いて、孔は無くするのが望ましいが、防塵の要求レベルは、塵埃が侵入しても、品位を劣化させない、また、視認性を阻害しないというレベルであるので、直径１００μ以上の塵埃が侵入しなければ、通常、問題ではない。
【００２５】
また、必要とする孔の大きさについて述べると、空気の換気においては、水蒸気の大きさは０．０００４〜０．０２μ程度とされているので、それ以上の大きさの換気できる隙間があれば問題はない。図４においては、説明の便宜上、発泡体の孔５ａを簡素拡大化しているが、実際には目視は困難である。
【００２６】
以上のように構成された液晶表示装置において、換気すべき空間は、図４において、液晶ユニット１と前部筐体３と保護パネル４と防塵シート５で囲われた空間である。
【００２７】
外気に温度変化があっても、防塵シート５の孔５ａを通して空気が換気するので、空気が飽和して水蒸気が発生することはなく、したがって、保護パネル４の内面上に水滴が残るという結露現象は生じない。
【００２８】
仮に、防塵シート５の材料を、シール性の高い発泡処理を行わないゴム等にすると、空気が密閉された空間の中で外気温度の影響を受けるので、空気は飽和しやすく、水蒸気も発生しやすい。
【００２９】
このように、防塵シート５の材料を、直径１００μ以下程度の多孔質の発泡体に選定することで、防塵により、品位の劣化を防止し、視認性の確保を実現しつつ、空気の飽和を無くすることで水蒸気の発生を抑えることができ、防露をも実現できる。
【００３０】
なお、本実施の形態において、防塵シート５を、多孔質の発泡体としたが、多孔質の不織布でも同等の効果がえられる。
【００３１】
また、本実施の形態では防塵シート５を前部筐体３と液晶ユニット１の周囲の間に配置させたが、保護パネル４を前部筐体３の内側に貼り付けた場合には、保護パネル４と液晶ユニット１の周囲の間に配置させてもよいことは言うまでもない。
【産業上の利用可能性】
【００３２】
本発明にかかる液晶表示装置は、防塵による品位の劣化防止と視認性の確保を実現しながら、水蒸気の発生を抑えた防露をも実現するという効果を有し、高い防塵防水性の必要な液晶表示装置等として有用である。
【図面の簡単な説明】
【００３３】
【図１】本発明の一実施の形態の液晶表示装置を示す斜視図
【図２】本発明の一実施の形態の液晶表示装置を示す分解図
【図３】本発明の一実施の形態の液晶表示装置を示す断面図
【図４】本発明の一実施の形態の液晶表示装置を示す拡大部分断面図
【図５】従来の液晶表示装置を示す断面図
【符号の説明】
【００３４】
１  液晶ユニット
２  後部筐体
３  前部筐体
４  保護パネル
５  防塵シート
５ａ  孔
【図１】
2005309268.tif 000003
【図２】
2005309268.tif 000004
【図３】
2005309268.tif 000005
【図４】
2005309268.tif 000006
【図５】
2005309268.tif 000007